(57)【特許請求の範囲】
【請求項１】
缶蓋の全体が缶本体から外れるイージーオープン缶の前記缶蓋を開けるための缶開け具において、
取手部と、
前記缶蓋に取り付けられるプルタブに係合する係合爪部と、
前記係合爪部を前記プルタブに係合させる際に前記缶蓋の上面に当接するとともに前記取手部を回動させて前記缶蓋を開ける際の初期段階で前記取手部の回動の支点となる凸曲面状の曲面部と、
前記取手部を回動させて前記缶蓋を開ける際の最終段階で前記缶蓋の上面に当接して前記取手部の回動の支点になるとともに前記缶本体からの前記缶蓋の外れを防止する外れ防止部が形成される平板状の外れ防止部材と、を備え、
前記曲面部は、前記取手部と前記外れ防止部材とを繋ぐように配置されていることを特徴とする缶開け具。
【請求項２】
前記外れ防止部材は、略多角形の平板状に形成され、
前記外れ防止部は、前記外れ防止部材に形成される複数の端面のうちの１つの端面であることを特徴とする請求項１記載の缶開け具。
【請求項３】
前記外れ防止部材の表面には、前記缶蓋の上面に当接する凸曲面を有する凸部が配置され、
前記凸部は、前記取手部を回動させて前記缶蓋を開ける際に、前記曲面部が前記缶蓋の上面から離れてから前記外れ防止部が前記缶蓋の上面に当接するまでの間、前記缶蓋の上面に当接して前記取手部の回動の支点になることを特徴とする請求項１または２記載の缶開け具。
【請求項４】
前記曲面部と一体で形成され、前記外れ防止部材が固定される固定部を備え、
前記凸部は、前記固定部と前記外れ防止部材とを締結するオネジの頭部であることを特徴とする請求項３記載の缶開け具。
【請求項５】
前記オネジは、トラスネジであることを特徴とする請求項４記載の缶開け具。
【請求項６】
前記曲面部は、略半円弧状に形成され、
前記缶開け具は、前記取手部と前記外れ防止部材とが略平行に配置されるとともに前記取手部と前記外れ防止部材とを繋ぐように前記曲面部が配置される略Ｊ形状に形成され、
前記係合爪部は、前記曲面部に隣接するように配置されていることを特徴とする請求項１から５のいずれかに記載の缶開け具。
【発明の詳細な説明】
【技術分野】
【０００１】
本発明は、プルタブが取り付けられた缶蓋の全体が外れるイージーオープン缶の缶蓋を開けるための缶開け具に関する。
【背景技術】
【０００２】
プルタブが取り付けられた缶蓋の全体が外れるフルオープンエンドのイージーオープン缶（プルトップ缶）が広く流通している。従来、このイージーオープン缶の缶蓋を容易に開けるための缶開け具が提案されている（たとえば、特許文献１参照）。特許文献１に記載の缶開け具は、プルタブに係合する係止爪と、係止爪に連続するように形成される略円弧状の案内部と、案内部に連続するように形成される柄部とを備えている。
【０００３】
この缶開け具では、まず、缶開け具を立てるようにしてプルタブに係止爪を引っかけてから柄部を倒していくことにより、係止爪が起き、係止爪に係止しているプルタブも起きる。その後、さらに柄部を倒していくと、係止爪に連続している案内部が缶蓋に押し付けられながら係止爪に係止しているプルタブが上方に引かれて、缶蓋の全体が缶の本体から外れる。
【先行技術文献】
【特許文献】
【０００４】
【特許文献１】特開２００１−１８０７９９号公報
【発明の概要】
【発明が解決しようとする課題】
【０００５】
上述のように、特許文献１に記載の缶開け具では、柄部を倒していくと、缶蓋の全体が缶の本体から外れる。缶蓋の端部は鋭利であるため、缶の本体から取り外された缶蓋を廃棄等する際に、使用者が缶蓋の端部に誤って触れると、けがをするおそれがある。すなわち、特許文献１に記載の缶開け具でイージーオープン缶の缶蓋を開けた場合には、安全面で問題が生じるおそれがある。
【０００６】
そこで、本形態の課題は、缶蓋を安全に取り扱うことが可能となるようにイージーオープン缶の缶蓋を開けることができる缶開け具を提供することにある。
【課題を解決するための手段】
【０００７】
上記の課題を解決するため、本発明の缶開け具は、缶蓋の全体が缶本体から外れるイージーオープン缶の缶蓋を開けるための缶開け具において、取手部と、缶蓋に取り付けられるプルタブに係合する係合爪部と、係合爪部をプルタブに係合させる際に缶蓋の上面に当接するとともに取手部を回動させて缶蓋を開ける際の初期段階で取手部の回動の支点となる凸曲面状の曲面部と、取手部を回動させて缶蓋を開ける際の最終段階で缶蓋の上面に当接して取手部の回動の支点になるとともに缶本体からの缶蓋の外れを防止する外れ防止部が形成される平板状の外れ防止部材と、を備え、曲面部は、取手部と外れ防止部材とを繋ぐように配置されていることを特徴とする。
【０００８】
本発明の缶開け具は、缶本体からの缶蓋の外れを防止する外れ防止部を備えている。そのため、この缶開け具で缶蓋を開けた後でも、缶蓋は缶本体にくっついている。したがって、使用者は缶蓋を持たなくても缶本体を持てば、開いた缶蓋を処理することが可能になる。その結果、本発明の缶開け具で缶蓋が開けられたイージーオープン缶の場合、缶蓋を処理する際に使用者が缶蓋の端部に触れるおそれを低減することが可能となり、缶蓋を安全に取り扱うことが可能になる。
【０００９】
また、本発明では、缶蓋を開けた後でも缶蓋が缶本体にくっついているため、缶本体から中身を出した後に、缶蓋を開ける際の取手部の回動方向と逆の方向へ取手部を回動させれば、缶本体の中に缶蓋の一部または全部を押し込むことが可能になる。したがって、缶本体の中に缶蓋の一部または全部を押し込むことで、缶蓋を処理する際に使用者が缶蓋の端部に触れるおそれを一層低減することが可能となり、缶蓋をより安全に取り扱うことが可能になる。
【００１０】
また、本発明では、外れ防止部は、取手部を回動させて缶蓋を開ける際の最終段階で缶蓋の上面に当接して取手部の回動の支点になるため、缶蓋を開ける際の最終段階において、外れ防止部によって、缶蓋の上面を比較的強い力で押さえることが可能になる。したがって、外れ防止部によって、缶本体からの缶蓋の外れを確実に防止することが可能になる。
【００１１】
本発明において、外れ防止部材は、略多角形の平板状に形成され、外れ防止部は、外れ防止部材に形成される複数の端面のうちの１つの端面であることが好ましい。このように構成すると、缶蓋の上面と外れ防止部との接触面積を比較的広くすることが可能になる。したがって、外れ防止部によって、缶蓋の上面を適切に押さえることが可能になり、缶本体からの缶蓋の外れを確実に防止することが可能になる。
【００１２】
本発明において、外れ防止部材の表面には、缶蓋の上面に当接する凸曲面を有する凸部が配置され、凸部は、取手部を回動させて缶蓋を開ける際に、曲面部が缶蓋の上面から離れてから外れ防止部が缶蓋の上面に当接するまでの間、缶蓋の上面に当接して取手部の回動の支点になることが好ましい。このように構成すると、曲面部、凸部および外れ防止部を順次、支点にして取手部を回動させるといった梃子の原理を利用して、缶蓋を容易に開けることが可能になる。また、凸部を利用して、係合爪部がプルタブに係合している状態の缶開け具を缶蓋の上面で滑らかにスライドさせることが可能になる。したがって、缶蓋が大きい場合であっても、缶蓋の上面で缶開け具をスライドさせながら、缶蓋を容易に開けていくことが可能になる。
【００１３】
本発明において、缶開け具は、曲面部と一体で形成され、外れ防止部材が固定される固定部を備え、凸部は、固定部と外れ防止部材とを締結するオネジの頭部であることが好ましい。この場合には、たとえば、オネジは、トラスネジである。このように構成すると、固定部と外れ防止部材を締結するオネジの頭部を利用して、外れ防止部材の表面に凸部を配置することができる。したがって、オネジの頭部と別個に凸部が設けられる場合と比較して、缶開け具の構成を簡素化することが可能になる。
【００１４】
本発明において、曲面部は、略半円弧状に形成され、缶開け具は、取手部と外れ防止部材とが略平行に配置されるとともに取手部と外れ防止部材とを繋ぐように曲面部が配置される略Ｊ形状に形成され、係合爪部は、曲面部に隣接するように配置されていることが好ましい。このように構成すると、係合爪部をプルタブに係合させたときに、取手部が缶蓋の上面から略垂直に立ち上るように缶開け具を配置することが可能になる。したがって、缶蓋を開ける際に取手部を回動させやすくなる。また、このように構成すると、缶開け具が略Ｊ形状に形成されているため、缶蓋を開ける際の取手部の回動量を大きくすることが可能になる。したがって、缶開け具が小さくても、缶蓋の開き量を大きくすることが可能になる。
【発明の効果】
【００１５】
以上のように、本発明の缶開け具を使用すれば、缶蓋を安全に取り扱うことが可能となるようにイージーオープン缶の缶蓋を開けることができる。
【図面の簡単な説明】
【００１６】
【図１】本発明の実施の形態にかかる缶開け具の斜視図である。
【図２】図１に示す缶開け具の側面図である。
【図３】図２のＥ−Ｅ方向から缶開け具を示す図である。
【図４】イージーオープン缶の斜視図である。
【図５】図１に示す缶開け具を使用して缶蓋を開けるときの缶開け具の動きを説明するための図であり、（Ａ）は缶蓋を開ける際の初期段階の状態を示す図、（Ｂ）は缶蓋を開ける際の中間段階の状態を示す図、（Ｃ）は缶蓋を開ける際の最終段階を示す図である。
【図６】図５（Ｃ）のＦ−Ｆ断面の断面図である。
【図７】図１に示す缶開け具を使用してプルタブ付きのプラスチック製の内蓋を開けるときの缶開け具の動きを説明するための図であり、（Ａ）は係合爪部がプルタブに係合した状態を示す図、（Ｂ）は内蓋が開いた状態を示す図である。
【発明を実施するための形態】
【００１７】
以下、図面を参照しながら、本発明の実施の形態を説明する。
【００１８】
（缶開け具の構成）
図１は、本発明の実施の形態にかかる缶開け具１の斜視図である。図２は、図１に示す缶開け具１の側面図である。図３は、図２のＥ−Ｅ方向から缶開け具１を示す図である。図４は、イージーオープン缶４の斜視図である。
【００１９】
本形態の缶開け具１は、缶蓋２の全体が缶本体３から外れるイージーオープン缶４（図４参照）の缶蓋２を開けるための道具である。缶蓋２には、プルタブ５が取り付けられている。また、イージーオープン缶４は、たとえば、図４に示すように、缶蓋２の上側から見たときの形状が略円形状となるように形成されている。ただし、本形態の缶開け具１によって缶蓋２が開けられるイージーオープン缶４は、缶蓋２の上側から見たときの形状が略楕円形状、略長方形状あるいは略正方形状となるように形成されても良い。また、イージーオープン缶４の中身は、肉や魚等の人間用の食料であっても良いし、犬や猫等のペット用のえさであっても良い。なお、本形態の缶開け具１を用いると、イージーオープン缶４の缶蓋２以外にも、プルタブ２２ａ付きのプラスチック製の内蓋２２（図７参照）を有する油の容器や醤油等の調味料の容器の内蓋２２を開けることも可能である。
【００２０】
缶開け具１は、図１〜図３に示すように、プルタブ５に係合する係合爪部６ａが形成される第１部材６と、係合爪部６ａをプルタブ５に係合させる際に缶蓋２の上面に当接する凸曲面状の曲面部７ａが形成される第２部材７と、缶本体３から缶蓋２の外れを防止する外れ防止部８ａが形成される第３部材８とを備えている。本形態の第２部材７は、曲面部形成部材であり、第３部材８は、外れ防止部材である。
【００２１】
第１部材６は、図２に示すように、平板状の細長い金属部材の略中心位置をわずかに折り曲げることで形成されている。係合爪部６ａは、第１部材６の一端側を略円弧状となる曲面状に折り曲げることで形成されている。図１、図３に示すように、係合爪部６ａの先端６ｂは、使用者の安全性を考えて、略円弧状に形成されている。また、プルタブ５に係合しやすくするため、係合爪部６ａの厚さは、先端６ｂに向かうにしたがって薄くなっている。第１部材６の他端側には、図２に示すように、ゴム製のキャップ１０の中に挿入されている。本形態では、第１部材６の他端側とキャップ１０とによって、缶開け具１の取手部１１が構成されている。
【００２２】
第２部材７は、平板状の細長い金属部材を所定形状に折り曲げることで形成されている。図２に示すように、第２部材７の全体形状は、略Ｕ形状または略Ｖ形状となっており、その折り曲げ部分が曲面部７ａとなっている。曲面部７ａは、略半円弧状に形成されている。第２部材７の一端側は、第３部材８が固定される固定部７ｂとなっている。第２部材７の他端側は、溶接等によって、第１部材６に固定されている。また、第２部材７の他端側は、キャップ１０の中に配置されている。
【００２３】
第３部材８は、平板状の金属部材であり、略正方形状に形成されている。第３部材８の一辺の長さは、第１部材６の長手方向の長さよりも短くなっている。この第３部材８は、互いに略平行な一対の端面８ｂが第１部材６の長手方向と略一致するように、第２部材７の固定部７ｂに固定されている。また、取手部１１側に配置される第３部材８の端面が外れ防止部８ａとなっている。
【００２４】
第３部材８は、オネジ１２とナット１３とによって、第２部材７の固定部７ｂと締結されている。また、第３部材８は、その一方の表面が略Ｕ形状または略Ｖ形状の第２部材７の外側の面と当接するように固定部７ｂに固定されており、オネジ１２の頭部１２ａは、第３部材８の他方の表面に配置されている。オネジ１２は、たとえば、トラスネジであり、頭部１２ａの表面は、球面の一部を切り取ったような凸曲面となっている。本形態の頭部１２ａは、外れ防止部材である第３部材８の表面に配置される凸部である。なお、オネジ１２は、その頭部１２ａの表面が凸曲面となっているネジであれば良く、たとえば、丸皿ネジやバインドネジ等であっても良い。
【００２５】
本形態では、図２等に示すように、第３部材８と取手部１１とが略平行に配置されている。また、曲面部７ａは、第３部材８と取手部１１とを繋ぐように配置されており、缶開け具１は、全体として、略Ｊ形状に形成されている。また、係合爪部６ａは、曲面部７ａに隣接するように配置されている。具体的には、係合爪部６ａの先端６ｂが外側を向くように、係合爪部６ａは、曲面部７ａに隣接配置されている。なお、缶開け具１の長さ（図１の左右方向の長さ）は、たとえば、１２５ｍｍであり、その重さは、たとえば、１２０ｇである。
【００２６】
本形態の第１部材６、第２部材７および第３部材８は、たとえば、ステンレス鋼板で形成されているが、第１部材６、第２部材７および第３部材８は、ステンレス鋼板以外の鋼板で形成されても良い。第１部材６、第２部材７および第３部材８がステンレス鋼板以外の鋼板で形成される場合には、第１部材６、第２部材７および第３部材８の表面にメッキが施される。また、第１部材６、第２部材７および第３部材８は、アルミ等の他の金属部材で形成されても良い。また、第１部材６、第２部材７および第３部材８は、プレス加工によって形成されたプレス加工品であっても良いし、鋳物であっても良い。また、第１部材６、第２部材７および第３部材８は、強化プラスチック等の金属部材以外の部材で形成されても良い。
【００２７】
（缶開け具の使用方法）
図５は、図１に示す缶開け具１を使用して缶蓋２を開けるときの缶開け具１の動きを説明するための図であり、（Ａ）は缶蓋２を開ける際の初期段階の状態を示す図、（Ｂ）は缶蓋２を開ける際の中間段階の状態を示す図、（Ｃ）は缶蓋２を開ける際の最終段階を示す図である。図６は、図５（Ｃ）のＦ−Ｆ断面の断面図である。図７は、図１に示す缶開け具１を使用してプルタブ２２ａ付きのプラスチック製の内蓋２２を開けるときの缶開け具１の動きを説明するための図であり、（Ａ）は係合爪部６ａがプルタブ２２ａに係合した状態を示す図、（Ｂ）は内蓋２２が開いた状態を示す図である。
【００２８】
以下、缶開け具１を使用して缶蓋２を開けるときの缶開け具１の動き、および、缶開け具１を使用してプルタブ２２ａ付きのプラスチック製の内蓋２２（図７参照）を開けるときの缶開け具１の動きを順次説明する。
【００２９】
缶開け具１を使用して缶蓋２を開ける際には、図５（Ａ）に示すように、まず、缶蓋２の上方で取手部１１を略垂直に立てた状態で、係合爪部６ａをプルタブ５に係合させる。このとき、曲面部７ａは、缶蓋２の上面に当接する。その後、取手部１１を矢印Ｖ１の方向へ回動させて（すなわち、下方向へ回動させて）、プルタブ５を起こす。このとき、曲面部７ａは、取手部１１の回動の支点となる。
【００３０】
その後さらに、曲面部７ａを支点として、取手部１１を矢印Ｖ１の方向へ回動させると、缶蓋２と缶本体３との間に形成される円環状の溝１４（図４参照）に沿って、缶蓋２が開き始め、やがて、図５（Ｂ）に示すように、缶蓋２の上面から曲面部７ａが離れ、頭部１２ａが缶蓋２の上面に当接する。
【００３１】
その後さらに、取手部１１を矢印Ｖ１の方向へ回動させると、溝１４に沿って、缶蓋２が開いていく。このとき、頭部１２ａは、取手部１１の回動の支点となる。また、さらに、取手部１１を矢印Ｖ１の方向へ回動させると、図５（Ｃ）に示すように、缶蓋２の上面から頭部１２ａが離れ、外れ防止部８ａが缶蓋２の上面に当接する。その後さらに、取手部１１を矢印Ｖ１の方向へ回動させると、溝１４に沿って、缶蓋２がさらに開いていく。このとき、外れ防止部８ａが取手部１１の回動の支点となる。また、取手部１１の先端が下側を向くまで、取手部１１を矢印Ｖ１の方向へ回動させると、缶蓋２が開く。
【００３２】
なお、缶本体３の上端側には、閉じている状態の缶蓋２の上面よりも上側に突出している円環状の縁部３ａが形成されており（図４参照）、缶蓋２を開ける際の最終段階では、図６に示すように、第３部材８の端面８ｂの外れ防止部８ａ側の端部は、縁部３ａの内周面に当接している。
【００３３】
また、プルタブ２２ａ付きのプラスチック製の内蓋２２を有する油や醤油等の調味料の容器２４の内蓋２２を缶開け具１を使用して開ける際には、図６（Ａ）に示すように、まず、外蓋２３を取り外し、内蓋２２の上方で取手部１１を略垂直に立てた状態で、係合爪部６ａをプルタブ２２ａに係合させる。このとき、曲面部７ａは、内蓋２２の上面に当接する。その後、取手部１１を矢印Ｖ２の方向へ回動させて（すなわち、下方向へ回動させて）、図７（Ｂ）に示すように、内蓋２２を開ける。このとき、曲面部７ａは、取手部１１の回動の支点となる。なお、容器２４は、ガラス、プラスチックあるいは紙等で形成されている。
【００３４】
（本形態の主な効果）
以上説明したように、本形態では、缶開け具１に、缶本体３からの缶蓋２の外れを防止する外れ防止部８ａが形成されており、この外れ防止部８ａが缶蓋２を開ける際の最終段階で缶蓋２の上面に当接している。そのため、缶開け具１で缶蓋２を開けた後でも、缶蓋２は缶本体３にくっついている。したがって、使用者は缶蓋２を持たなくても缶本体３を持てば、缶蓋２を処理することができる。その結果、本形態では、開いた缶蓋２を処理する際に使用者が缶蓋２の端部に触れるおそれを低減することが可能となり、缶蓋２を安全に取り扱うことが可能になる。
【００３５】
また、本形態では、缶蓋２を開けた後でも缶蓋２が缶本体３にくっついているため、缶本体３から中身を出した後に、図５（Ｃ）、（Ｂ）の矢印Ｖ３の方向へ取手部１１を回動させれば（すなわち、上方向へ取手部１１を回動させれば）、缶本体３の中に缶蓋２の一部または全部を押し込むことができる。したがって、缶本体３の中に缶蓋２の一部または全部を押し込むことで、缶蓋２を処理する際に使用者が缶蓋２の端部に触れるおそれを一層低減することが可能となり、缶蓋２をより安全に取り扱うことが可能になる。なお、図５（Ｃ）、（Ｂ）の矢印Ｖ３の方向へ取手部１１を回動させれば、缶蓋２から缶開け具１を容易に取り外すことができる。
【００３６】
また、本形態では、缶蓋２を持たなくても缶本体３を持てば、缶蓋２を処理することが可能になるため、使用者の手が汚れにくくなる。また、缶蓋２を開けた後でも缶蓋２が缶本体３にくっついているため、缶開け具１を利用して、缶蓋２とともに缶本体３を持ち上げて持ち運ぶことが可能になる。
【００３７】
本形態では、外れ防止部８ａは、取手部１１を回動させて缶蓋２を開ける際の最終段階で缶蓋２の上面に当接して取手部１１の回動の支点になる。そのため、缶蓋２を開ける際の最終段階において、外れ防止部８ａによって、缶蓋２の上面を比較的強い力で押さえることが可能になる。また、本形態では、略正方形状に形成された第３部材８の１つの端面が外れ防止部８ａとなっているため、缶蓋２の上面と外れ防止部８ａとの接触面積を比較的広くすることが可能になる。したがって、外れ防止部８ａによって、缶本体３からの缶蓋２の外れを確実に防止することが可能になる。
【００３８】
本形態では、係合爪部６ａをプルタブ５に係合させる際に曲面部７ａが缶蓋２の上面に当接するため、係合爪部６ａをプルタブ５に係合させた後に曲面部７ａを支点して取手部１１を回動させれば、梃子の原理を利用して小さな力で、プルタブ５を容易に立ち上げることができる。また、本形態では、曲面部７ａ、頭部１２ａおよび外れ防止部８ａを支点にして取手部１１を回動させるといった梃子の原理を利用して缶蓋２を開けているため、小さな力で缶蓋２を開けていくことができる。したがって、老人や手に障害のある身障者であっても、容易に缶蓋２を開けることが可能になる。また、小さな力で缶蓋２を開けていくことが可能になるため、缶蓋２を開ける際に中身がこぼれにくくなる。さらに、プルタブ５を容易に立ち上げることが可能になるため、使用者の爪の割れや剥がれを防止することが可能になる。また、本形態の缶開け具１は、係合爪部６ａと曲面部７ａとを備えているため、係合爪部６ａと曲面部７ａとを利用して、プルタブ２２ａ付きのプラスチック製の内蓋２２を容易に開けることもできる。
【００３９】
本形態では、第３部材８の表面に、凸曲面状の表面を有する頭部１２ａが配置されている。そのため、頭部１２ａを利用して、係合爪部６ａがプルタブ５に係合している状態の缶開け具１を缶蓋２の上面で滑らかにスライドさせることが可能になる。したがって、たとえば、缶蓋２の形状が略楕円形状や略長形状であっても、係合爪部６ａがプルタブ５に係合している状態の缶開け具１を缶蓋２の上面でスライドさせながら、缶蓋２を容易に開けていくことが可能になる。また、本形態では、オネジ１２の頭部１２ａを取手部１１の回動の支点として利用することができるため、取手部１１の回動の支点が別個に設けられる場合と比較して、缶開け具１の構成を簡素化することが可能になる。
【００４０】
本形態では、缶開け具１は、略Ｊ形状に形成されており、また、係合爪部６ａは、曲面部７ａに隣接するように配置されている。そのため、係合爪部６ａをプルタブ５に係合させると、取手部１１が缶蓋２の上方で略垂直に立ち上る。したがって、缶蓋２を開ける際に取手部１１を回動させやすくなる。また、本形態では、缶開け具１が略Ｊ形状に形成されているため、缶蓋２を開ける際の取手部１１の回動量を大きくすることが可能になる。したがって、缶開け具１が小さくても、缶蓋２の開き量を大きくすることが可能になる。
【００４１】
（他の実施の形態）
上述した形態では、第１部材６と第２部材７と第３部材８とがそれぞれ別体で形成されているが、第１部材６と第２部材７とが一体で形成されても良いし、第２部材７と第３部材８とが一体で形成されても良い。また、第１部材６と第２部材７と第３部材８とが一体で形成されても良い。第２部材７と第３部材８とが一体で形成される場合には、缶蓋２を開ける際の中間段階で頭部１２ａの代わりに缶蓋２の上面に当接する凸曲面を有する凸部が、たとえば、第３部材８の表面に形成される。または、缶蓋２を開ける際の中間段階で頭部１２ａの代わりに缶蓋２の上面に当接する凸曲面を有する凸部が、たとえば、第３部材８と別体で形成され、第３部材８の表面に固定される。
【００４２】
上述した形態では、第３部材８は、略正方形の平板状に形成されているが、第３部材８は、略長方形状等の平板状に形成されても良いし、略三角形状、略六角形状あるいは略八角形状等の略多角形状に形成されても良い。また、上述した形態では、第３部材８は、平板状に形成されているが、第３部材８は、ブロック状に形成されても良い。
【００４３】
上述した形態では、曲面部７ａは、略半円弧状に形成されており、第３部材８と取手部１１とが略平行に配置されているが、第３部材８と取手部１１とによって形成される角度が鋭角、直角または鈍角となるように、曲面部７ａが形成されても良い。たとえば、第３部材８と取手部１１とによって形成される角度が約４５°や約６０°となるように、曲面部７ａが形成されても良い。
【符号の説明】
【００４４】
１  缶開け具
２  缶蓋
３  缶本体
４  イージーオープン缶
５  プルタブ
６ａ  係合爪部
７  第２部材（曲面部形成部材）
７ａ  曲面部
７ｂ  固定部
８  第３部材（外れ防止部材）
８ａ  外れ防止部
１１  取手部
１２  オネジ
１２ａ  頭部（凸部）
【要約】
【課題】缶蓋を安全に取り扱うことが可能となるようにイージーオープン缶の缶蓋を開けることができる缶開け具を提供する。
【解決手段】缶蓋２の全体が缶本体３から外れるイージーオープン缶４の缶蓋２を開けるための缶開け具１は、取手部１１と、プルタブ５に係合する係合爪部６ａと、係合爪部６ａをプルタブ５に係合させる際に缶蓋２の上面に当接するとともに取手部１１を回動させて缶蓋２を開ける際の初期段階で取手部１１の回動の支点となる凸曲面状の曲面部７ａと、取手部１１を回動させて缶蓋２を開ける際の最終段階で缶蓋２の上面に当接して取手部１１の回動の支点になるとともに缶本体３からの缶蓋２の外れを防止する外れ防止部８ａとを備えている。
【選択図】図５【図１】
0004657373.tif 000002
【図２】
0004657373.tif 000003
【図３】
0004657373.tif 000004
【図４】
0004657373.tif 000005
【図５】
0004657373.tif 000006
【図６】
0004657373.tif 000007
【図７】
0004657373.tif 000008